(57)【特許請求の範囲】
【請求項１】
落石から身体を保護するようにロープと連結され、背板に複数の保護クッションを備えた衣服部と；
墜落防止のために身体部位別に包むように着用するベルトが前記衣服部内皮に一体に取り付けられるように構成される安全帯と；を含み、
前記安全帯は、
前記衣服部内部において、衣服部前面では両側が互いに平行し、後面では交差するように連結される肩ベルトと；
前記衣服部の胸板前面と側面を連結する胸ベルトと；
脚または腰のうちいずれかを選択的に包むように前記肩ベルトの下段に取り付けられる腰兼用下体ベルトと；
を含み、
前記肩ベルトは、
二つのベルトの一端がそれぞれ背板内部の下段両側から上部まで互いに交差するように斜めに延びて肩部を通過し、両側の胸板からそれぞれ垂直下方に延びて、ベルトの一端でまたその他端と会うように、互いに左右対称に位置し、
前記腰兼用下体ベルトは、
両端のベルトをそれぞれ巻き取ることができる空間を提供するように同一形状のハウジング形態を有し、前記肩ベルトの一端と他端が会う所に設けられる１対のベルト結合部を備えることを特徴とする着脱可能な墜落防止用安全帯を備えた落石防護用救命胴衣。
【請求項２】
前記ベルト結合部は、
ハウジングの先端に形成されてベルトを引出し及び挿入する貫通口であるベルト引出し口と；
前記ベルト引出し口の一側に形成され、両側ベルト結合部のうちいずれかのベルト引出し口から引き出されたベルトの先端に形成されたベルト係止部が両側ベルト結合部のうちいずれかに挿入されて係止されるように、前記ベルト係止部に対応する内部形態を有するベルト挿入口を含んでなることを特徴とする請求項１に記載の着脱可能な墜落防止用安全帯を備えた落石防護用救命胴衣。
【請求項３】
前記ベルト係止部は、
前記ベルト挿入口に係止するように両端に形成された係止片と；
前記係止片が出没できるように前記係止片の両側に形成されている押しボタンと；を含んでなることを特徴とする請求項２に記載の着脱可能な墜落防止用安全帯を備えた落石防護用救命胴衣。
【請求項４】
前記ベルト結合部は、その内部にベルトの自動巻き取り及び停止のためのベルトリトラクタを構成する長さ調節手段を形成することを特徴とする請求項１に記載の着脱可能な墜落防止用安全帯を備えた落石防護用救命胴衣。
【発明の詳細な説明】
【技術分野】
【０００１】
本発明は着脱可能な墜落防止用安全帯を備えた落石防護用救命胴衣に関するもので、より詳細には、主に産業現場、特に、トンネル工事現場で作業者が着用する落石防護用救命胴衣に墜落事故等を未然に防止するために着用する安全帯を着脱可能に一体に構成した着脱可能な墜落防止用安全帯を備えた落石防護用救命胴衣に関するものである。
【背景技術】
【０００２】
通常に各種産業現場においては、落石等による安全事故を未然に防止するための目的として作業者は落石防護用安全胴衣を着用して作業を行う。
【０００３】
特に、トンネル内の高所作業時には落石の危険と墜落の危険にさらされる環境で作業を行うので、墜落死を防止するために落石防護用救命胴衣と共に着用できる墜落防止用安全帯が必要である。
【０００４】
しかし、作業者はやむをえず安全帯をまず着用した状態で落石防護用救命胴衣をさらに着用しなければならないことがある。この場合は、背や横腹に取り付けられている安全帯連結用リングとロープによって着用者が細心の注意を払って落石防護用救命胴衣を着用しなければならない。したがって、多くの着用時間が所要され、面倒さが生じるだけでなく、このような付着物によって背や横腹部分が不便で着用感が低下する短所がある。
したがって、このような問題点により墜落防止用安全帯を着用しない場合が多かったし、これによって墜落死等の安全事故が頻繁に発生している実情である。
【０００５】
また、工事現場等の産業現場においては、一般的な安全胴衣に墜落防止用安全帯を一体型に形成して着用している。特許文献１の「安全胴衣」は、各種産業現場で作業者が着用する安全胴衣に墜落防止用安全帯を一体に裁縫して固定することによって、簡単で、且つ速かに着用できるようにし、別途保管による喪失の恐れを解消できるようにしている。
【０００６】
また、特許文献２の「安全帯一体型作業服」は、作業服の内側に安全帯を一体化することによって、安全帯を簡便に着用でき、安全事故の危険を低減できるようにしている。
【０００７】
しかし、このような既存の安全帯一体型の安全胴衣は、落石の危険があるトンネル現場で使用することが不可能な状況である。
【０００８】
また、既存の安全胴衣は工事現場での作業により早く摩耗する恐れがあり、墜落防止用安全帯もやはり継続して伝わる荷重により切断される恐れがある。更に、このような安全帯一体型の安全胴衣は、胴衣や安全帯のうちいずれかでも使用することができない場合、構成品全体を捨てなければならないため、資源の浪費を招くようになる。
【０００９】
また、このような安全帯一体型の安全胴衣は脚ベルト式で下体を包むように着用する形態になっている。そのため、脚ベルト式でない腰ベルト式で着用することができないだけでなく、脚ベルト式の下体ベルトを着用しない状態で胴衣を着用する場合は、下体ベルトが捻じれる恐れがある。特に、胴衣を着用しない場合には安全帯の各部位別ベルトが互いに絡み合ったり捻じれることによって、保管や収納する際に不便がある。
【先行技術文献】
【特許文献】
【００１０】
【特許文献１】韓国実用新案登録公報第０２５４２８４号（２００１年１１月０５日登録）
【特許文献２】韓国特許公開公報第２０１３−００７３５５７号（２０１３年０７月０３日公開）
【発明の概要】
【発明が解決しようとする課題】
【００１１】
したがって、前述した問題点を解決するための本発明の目的は、トンネル作業用の落石防護用救命胴衣に墜落防止用安全帯を一体型に取り付けることによって、胴衣と安全帯を同時に着用できるようにした着脱可能な墜落防止用安全帯を備えた落石防護用救命胴衣を提供することにある。
【００１２】
また、本発明の他の目的は、前記落石防護用救命胴衣に一体型に取り付けられた墜落防止用安全帯を着脱できるよう、取付手段を落石防護用救命胴衣の内部に形成した着脱可能な墜落防止用安全帯を備えた落石防護用救命胴衣を提供することにある。
【００１３】
また、本発明のもう一つの目的は、前記墜落防止用安全帯を下体ベルト或いは腰ベルト兼ねて使用することができるように、ベルト結合部を構成する腰兼用下体ベルトを備える着脱可能な墜落防止用安全帯を備えた落石防護用救命胴衣を提供することにある。
【００１４】
また、本発明のもう一つの目的は、前記腰兼用下体ベルトの収納及び長さを調節するようにするために、腰兼用下体ベルトの両側には自動巻き取りが可能な長さ調節手段を備える着脱可能な墜落防止用安全帯を備えた落石防護用救命胴衣を提供することにある。
【課題を解決するための手段】
【００１５】
前述した目的を達するために、本発明に係る着脱可能な墜落防止用安全帯を備えた落石防護用救命胴衣は、落石から身体を保護するようにロープと連結され、背板に複数の保護クッションを備えた衣服部と；墜落防止のために身体部位別に包むように着用するベルトを前記衣服部内皮に一体に取り付けて構成した安全帯と；を含んでなることを特徴とする。
【００１６】
また、本発明によれば、衣服部内部に位置する安全帯を拘束するように包んで付着したり、或いは着脱するように衣服部内皮に形成された安全帯取付手段を含んでなることが好ましい。
【００１７】
また、本発明によれば、前記保護クッションは、前記衣服部外皮の背板及び前板と肩部に沿って一定幅の水平長さを有し、垂直方向に連続して形成されている複数のクッションからなることが好ましい。
【００１８】
また、本発明によれば、前記衣服部は、前記保護クッションの全体にわたって、或いは交互位置に付着される夜光や蛍光の布部材である発光手段と；首筋部を保護するように首部からパッド形態で延びて保護クッションを形成し、首を包む首保護パッドと；を更に含むことが好ましい。
【００１９】
また、本発明によれば、前記安全帯は、前記衣服部内部において、衣服部全面では両側が互いに平行し、後面では交差するように連結される肩ベルトと；前記衣服部の胸板前面と側面を連結する胸ベルトと；脚または腰のうちいずれかを選択的に包むように前記肩ベルトの下段に取り付けられる腰兼用下体ベルトと；を含むことが好ましい。
【００２０】
また、本発明によれば、前記肩ベルトは、二つのベルトの一端がそれぞれ背板内部の下段両側から上部まで互いに交差するように斜めに延びて肩部を通過し、両側の胸板からそれぞれ垂直下方に延びて、ベルトの一端でまたその他端と会うように、互いに左右対称に位置することが好ましい。
【００２１】
また、本発明によれば、前記腰兼用下体ベルトは、両端のベルトをそれぞれ巻き取ることができる空間を提供するように同一形状のハウジング形態を有し、前記肩ベルトの一端と他端が会う所に設けられる１対のベルト結合部を備えることが好ましい。
【００２２】
また、本発明によれば、前記ベルト結合部は、ハウジングの先端に形成されてベルトを引出し及び挿入する貫通口であるベルト引出し口と；前記ベルト引出し口の一側に形成され、両側ベルト結合部のうちいずれかのベルト引出し口から引き出されたベルトの先端に形成されたベルト係止部が両側ベルト結合部のうちいずれかに挿入されて係止されるように、前記ベルト係止部に対応する内部形態を有するベルト挿入口を含んでなることが好ましい。
【００２３】
また、本発明によれば、前記ベルト係止部は、前記ベルト挿入部に係止するように両端に形成された係止片と；前記係止片が出没できるように前記係止片の両側に形成されている押しボタンと；を含んでなることが好ましい。
【００２４】
また、本発明によれば、前記ベルト結合部は、その内部にベルトの自動巻き取り及び停止のためのベルトリトラクタを構成する長さ調節手段を形成することが好ましい。
【００２５】
また、本発明によれば、前記安全帯取付手段は、前記安全帯を包むように衣服部内皮と安全帯との両側に１対の面ファスナーを付着した矩形状のパッド形態を有することが好ましい。
また、本発明によれば、前記安全帯を包む安全帯取付手段の衣服部内皮に接する部分はミシン縫いされていることが好ましい。
【００２６】
また、本発明によれば、前記安全帯取付手段は、肩ベルトが左右胸部で互いに平行するように位置することに対応して取り付けられる胸部取付パッドと；肩ベルトが胸部で背板部に行くほど互いの距離が近づくことに対応して取り付けられる肩部取付パッドと；肩部から距離が近づいた肩ベルトが背板上部で互いに交差し、下部でその距離がまた遠ざかることに対応して取り付けられる背板部取付パッドと；背板上部に位置する肩ベルトのＸ字状交差部を包み込むように取り付けられる交差部取付パッドと；を含むことが好ましい。
【発明の効果】
【００２７】
したがって、前述した課題解決手段による本発明の着脱可能な墜落防止用安全帯を備えた落石防護用救命胴衣は、トンネル内の高所作業に使用する落石防護用救命胴衣に墜落防止用安全帯を一体型に構成することによって、胴衣を迅速で便利に着用できる利点を提供でき、墜落防止用安全帯の着脱により胴衣と安全帯のうちいずれかが摩耗する場合、摩耗した構成品のみを入替えればよいため、装備の入替えによるコスト負担を低減することができる。
【００２８】
また、腰兼用下体ベルトの一側をベルトの両側に形成したベルト結合部のうちいずれかに選択的に結合することができるので、一側間の連結により脚を覆い被せたり他側との連結により腰を包むことができる。なお、前記腰兼用下体ベルトの長さを自由自在に調節できるので、腰兼用下体ベルトを使用しない時や胴衣を着用しない場合は、ベルト同士の捻じりや絡み合いなしに保管できるので、収納の便利性が向上する。
【図面の簡単な説明】
【００２９】
【図１】本発明の一実施形態に係る着脱可能な墜落防止用安全帯を備えた落石防護用救命胴衣の側面図である。
【図２】図１の落石防護用救命胴衣の背面図である。
【図３】本発明の一実施形態に係る着脱可能な墜落防止用安全帯を備えた落石防護用救命胴衣で下体を包む状態を示す図面である。
【図４】本発明の一実施形態に係る着脱可能な墜落防止用安全帯を備えた落石防護用救命胴衣で腰を包む状態を示す図面である。
【図５】本発明の腰兼用下体ベルトの斜視図である。
【図６】図５の腰兼用下体ベルトのベルト結合部の装着状態を示す図面である。
【発明を実施するための最良の形態】
【００３０】
本明細書および特許請求の範囲に使用された用語や単語は、通常的或いは辞書的な意味に限定して解釈されてはならず、発明者はその自身の発明を最善の方法として説明するために用語の概念を適切に定義できるという原則に立ち、本発明の技術的な思想に符合する意味と概念として解釈されなければならない。
【００３１】
したがって、本明細書に記載された実施形態と図面に示された構成は、本発明の最も好ましい一実施形態に過ぎず、本発明の技術的な思想をすべて代弁するものではないため、本出願時点においてこれらを代替することができる多様な均等物と変形例があり得ることを理解しなければならない。
【００３２】
以下、本発明の着脱可能な墜落防止用安全帯を備えた落石防護用救命胴衣の実施形態について添付した図面を参照しながらより詳細に説明するようにする。
【００３３】
図１は本発明の一実施形態に係る着脱可能な墜落防止用安全帯を備えた落石防護用救命胴衣の側面図であり、図２は図１の落石防護用救命胴衣の背面図である。
【００３４】
また、図３は本発明の一実施形態に係る着脱可能な墜落防止用安全帯を備えた落石防護用救命胴衣で下体を包む状態を示す図面であり、図４は本発明の一実施形態に係る着脱可能な墜落防止用安全帯を備えた落石防護用救命胴衣で腰を包む状態を示す図面である。
【００３５】
また、図５は本発明の腰兼用下体ベルトの斜視図であり、図６は図５の腰兼用下体ベルトにおけるベルト結合部の装着状態を示す図面である。
【００３６】
図１と図２に示すように、本発明は落石防護用救命胴衣である衣服部１０と、前記衣服部１０に取り付けられる安全帯２０と、ロープ３０と、からなる。
【００３７】
前記衣服部１０は落石から作業者の身体を保護するための落石防護用救命胴衣に該当する。このために工事現場で使用する一般的な安全胴衣と同様に、背板及び肩部には保護クッション１１と夜光や蛍光の発光手段１２が形成されている。
【００３８】
前記保護クッション１１は衣服部１０の背板と前板及び肩部の外皮から一定幅の水平長さを有するクッションが垂直方向に連続して形成されている。
【００３９】
前記発光手段１２は垂直方向に一列に配列されている前記保護クッション１１の全体にわたって、或いは交互位置に付着されている夜光や蛍光の布部材である。
【００４０】
また、前記衣服部１０は作業者の首筋部を保護するように衣服部１０の首部からパッド形態で突出した首保護パッド１３を備え、前記首保護パッド１３もやはり一定幅の水平長さを有する保護クッション１１が垂直方向に連続して一列に配列されるように形成されている。
【００４１】
また、前記衣服部１０は背板上部の保護クッション１１の間の谷部から一定部分が切開された割れ目にロープ３０が連結されるようにする。
【００４２】
前記ロープ３０は両端にフックが設けられており、弾性力を有した所定長さの綱に該当する。
【００４３】
前記ロープ３０の一端は、後述する安全帯２０の肩ベルト２１のＸ字状交差部２２でリング２３に係合するようにし、その他端は作業支持台に係合するようにする。
【００４４】
したがって、図２に示すように、肩ベルトのＸ字状交差部２２に取り付けられているリング２３は前記衣服部１０の背板上部の保護クッション１１の間の谷部から一定部分が切開された割れ目に露出しており、ロープ３０の一端に設けられたフック（ｈｏｏｋ）３１が係合される。
【００４５】
図３に示すように、前記衣服部１０の内皮には背板と胸板及び肩部にそれぞれ安全帯２０の肩ベルト２１を取り付けるための安全帯取付手段７０が設けられている。
【００４６】
前記安全帯取付手段７０は矩形状のパッド形態を有し、衣服部１０の内皮に位置する肩ベルト２１の長さ方向に沿って内皮に接する部分がミシン縫い処理されている。
【００４７】
また、前記安全帯取付手段７０は肩ベルト２１の幅に対応する寸法の２列のミシン縫いにより衣服部１０の内皮に付着されている一つの面ファスナーと、ミシン縫いされた部分からの余分の両端を折って肩ベルト２１の所定節を長さ方向に包みながらその両端に形成されたもう一つの面ファスナーを含み、これらの雌雄１対の面ファスナーを合わせて付けることによって、肩ベルト２１を拘束するようになる。
【００４８】
前記安全帯取付手段７０は衣服部１０の取付地点によって胸部取付パッド７１、肩部取付パッド７２、背板部取付パッド７３、及び交差部取付パッド７４からなっている。
【００４９】
前記胸部取付パッド７１は肩ベルト２１が左右胸部で互いに平行するように位置することに対応して取り付けられている。
【００５０】
また、肩部取付パッド７２は左右胸部の両側肩ベルト２１が背板部に行くほど互いに距離が近づくように位置することに対応して取り付けられている。
【００５１】
また、背板部取付パッド７３は肩部の両側肩ベルト２１が背板上部で互いに交差し、下方に行くほど互いに距離が遠ざかるように位置することに対応して背板下部に取り付けられている。
【００５２】
また、交差部取付パッド７４は背板上部に位置する肩ベルト２１のＸ字状交差部２２を包み込むように取り付けられている。
【００５３】
前記安全帯２０は着用者の体重を保持できるように、引長力の強い糸で織造したベルト形態の布部材である。
【００５４】
前記安全帯２０は衣服部１０の前面で両側が互いに平行し、後面で交差するように連結される肩ベルト２１、衣服部１０の胸板前面と側面を連結する胸ベルト２５、脚や腰を包む腰兼用下体ベルト２７からなる。
【００５５】
より具体的には、前記胸ベルト２５（図１に示す）は衣服部１０の胸板側面と背板側面を連結し、胸板の左右全面を連結するように取り付けられるベルトである。
【００５６】
前記肩ベルト２１は二つのベルトの一端がそれぞれ背板内部の下段両側から上部まで互いに交差するように斜めに延びて肩部を通過し、両側の胸板からそれぞれ垂直下方に延びて、ベルトの一端でまたその他端と会うように位置して互いに左右対称をなすようにする。
【００５７】
この時、肩ベルト２１の一端と他端が会う部分は後述する腰兼用下体ベルト２７と共に背板にミシン縫い処理されることで、互いに堅固に付着されるようにする。
【００５８】
また、図３に示すように、肩ベルト２１が背板で互いに斜めに交差した状態を保持するように、交差部２２をクリップ９等で挟まれて固定させるようにする。
【００５９】
図３ないし図６は衣服部内部に着用する安全帯の形状を具体的に示している。
【００６０】
図３ないし図６に示すように、前記腰兼用下体ベルト２７はその両端にそれぞれ１対のベルト結合部５０が形成されている。
【００６１】
前記ベルト結合部５０は両端のベルトを巻き取ることができる空間を提供するように、同一形状のハウジング形態を有する１対の部材からなっており、ハウジングの先端に設けられたベルト引出し口５１を通じてベルトを引出し及び挿入するようになる。
前記ベルト結合部５０は肩ベルト２１の一端と他端が会う部分でミシン縫いにより背板に堅く付着されている。
この時、前記ベルト結合部５０はそれぞれその内部にベルトを解して自動で巻き取ることができる長さ調節手段６０を備えている。
前記長さ調節手段６０は腰兼用下体ベルト２７の引出し及び自動巻き取りと自動停止のためのベルト用リトラクタである。
【００６２】
したがって、長さ調節手段６０によりベルトを引くと解れ、一定の長さ引いた後少し逃すと、その長さを保持した状態で停止し、再び少し引いた後逃すと巻き取られる構造を有する。
【００６３】
前記ベルト結合部５０はハウジングの先端に並んで形成されているベルト引出し口５１とベルト挿入口５２を備えることで、前記ベルト引出し口５１から引き出されたベルトの先端をベルト挿入口５２に挿入して結合するようになる。
【００６４】
この時、前記ベルトの先端は、ベルト係止部５３を構成するものであり、ベルト挿入口５２に挿入されてその内部に係止されるようにその両端に設けられた係止片５４を有する。
【００６５】
したがって、図６の（ａ）に示すように、ベルト係止部５３の両側に形成された押しボタン５５を押すと、前記係止片５４は（ｂ）に示すように、ベルト係止部５３の内部空間に収縮した状態で、（ｃ）に示すように、ベルト挿入口５２に挿入される。以後、押しボタン５５から手を離すと、係止片５４は元の位置に帰ると共に、ベルト挿入口５２の内部空間に収容された状態で内壁に係止するようになる。
【００６６】
同様に、ベルト係止部５３の両側に形成された押しボタン５５を押すと、係止片５４はベルト係止部５３の内部空間に収縮した状態でベルト挿入口５２から離脱するようになる。
【００６７】
これを通じて腰兼用下体ベルト２７が長さ調節手段６０により巻き取られた状態で、下体の脚部を包むために両側ベルト結合部から適正な長さだけ引き出して自動停止するようにした後、両側ベルト結合部５０それぞれのベルト挿入口５２にベルト係止部５３を挿入することによって、下体ベルトとして使用することができるようにする。
【００６８】
また、腰兼用下体ベルト２７が長さ調節手段６０により巻き取られた状態で腹部及び腰部を包むために一側ベルト結合部から適正な長さだけ引き出して自動停止するようにした後、他側のベルト結合部５０のベルト挿入口５２にベルト係止部５３を挿入することによって、腰ベルトとして使用することができるようにする。
【００６９】
以上、本発明は好ましい実施形態と図面によって説明したが、本発明はこれらの実施形態に限定されるものではなく、本発明の範疇及び思想から外れない範囲で、本発明が属する技術分野における通常の知識を有する者によって、本発明の技術思想と後述する特許請求の範囲の均等範囲内で多様な修正及び変形が可能であることはもちろんである。
【符号の説明】
【００７０】
１０  衣服部
１１  保護クッション
２０  安全帯
２１  肩ベルト
２５  胸ベルト
２７  腰兼用下体ベルト
３０  ロープ
５０  ベルト結合部
５１  ベルト引出し口
５２  ベルト挿入口
５３  ベルト係止部
５４  係止片
５５  押しボタン
６０  長さ調節手段
７０  安全帯取付手段
７１  胸部取付パッド
７２  肩部取付パッド
７３  背板部取付パッド
７４  交差部取付パッド
【図１】
0006049026.tif 000002
【図２】
0006049026.tif 000003
【図３】
0006049026.tif 000004
【図４】
0006049026.tif 000005
【図５】
0006049026.tif 000006
【図６】
0006049026.tif 000007